(57)【特許請求の範囲】
【請求項１】
室内外を連通する建物開口部に設けた窓枠と、前記窓枠内に開閉可能に取付けた障子と、前記障子をロックするロック装置とを備える開閉窓におけるロック装置であって、
前記障子の窓框を構成する框材に、この框材の長手方向に沿って、ロック位置とアンロック位置とにスライド可能に取付けられたスライドプレートと、
前記窓框に設けられ、前記スライドプレートをロック位置とアンロック位置とに移動させる操作手段と、
前記スライドプレートに止着され、前記框材と対向する、窓枠を構成する枠材に向かって突出するロックピンと、
前記枠材に設けられ、前記スライドプレートがアンロック位置に位置している状態での前記障子の開閉動作時に、前記ロックピンが出入するようにした進入溝、および前記進入溝の奥部より屈曲するように連続し、前記ロックピンが進入することにより、前記障子の開戸を阻止するようにした係合溝を有するロック受け部材と、
押さえ片が、前記ロックピンの上下部において、前記スライドプレートの外表面を跨ぐように設けられているとともに、前記スライドプレートの材料よりも耐熱性がよいものによって形成され、かつ前記框材に固着された、前記スライドプレートが前記框材から離間するのを防止するためのプレート離間防止部材
とを備えることを特徴とする開閉窓におけるロック装置。
【請求項２】
プレート離間防止部材に、ロックピンが框材の長手方向に沿って移動自在に挿通するようにした長孔を設けた請求項１記載の開閉窓におけるロック装置。
【請求項３】
スライドプレートに、複数のロックピンを、スライドプレートの長手方向に互いに離間させて設け、かつ複数のプレート離間防止部材を、ロックピンに対応させて、それぞれ設けた請求項１または２記載の開閉窓におけるロック装置。
【請求項４】
窓枠および窓框を樹脂により形成し、スライドプレートをアルミニウム合金によって形成した請求項１〜３のいずれかに記載の開閉窓におけるロック装置。
【発明の詳細な説明】
【技術分野】
【０００１】
本発明は、火災発生時に、開閉窓のロック機能が損なわれるのを遅延させるようにした開閉窓におけるロック装置に関する。
【背景技術】
【０００２】
この種のロック装置としては、合成樹脂製の窓枠と、それに開閉自在に装着された障子における合成樹脂製の窓框とに、それぞれ金属製の補強部材を設け、障子を閉じたとき、窓枠の補強部材の上部に設けた受け金具に、窓框の補強部材に設けた支持金具が係合するようにし、万一の火災時に、合成樹脂部分が炭化して、障子が下降しようとしても、それを上記受け金具と支持金具との係合により、障子の補強部材を吊り止めて、障子の脱落等を防止するようにしたものがある(例えば特許文献１参照)。
【先行技術文献】
【特許文献】
【０００３】
【特許文献１】特許第４２２９２８６号公報
【発明の概要】
【発明が解決しようとする課題】
【０００４】
特許文献１に記載されているものにおいては、上記受け金具と支持金具とは、平常時の障子の開閉の妨げとならないように、障子の開閉方向には係合していないため、火災時に障子が開くのを上記受け金具と支持金具との係合によって阻止することはできない。
【０００５】
また、火災時に、合成樹脂は炭化するが、アルミニウム合金等の金属は、火災時の温度上昇により、軟化して変形したり、溶融したりするおそれがある。
したがって、ロック装置の一部に、アルミニウム合金等の低融点の金属を用いているものは、火災時には、ロック機能が損なわれるおそれがある。
ロック機能が損なわれると、障子が開いて、火炎が窓から噴出し、火勢が増し、被害が拡大することは言うまでもない。
【０００６】
しかし、火災時の温度上昇により、金属部分が軟化して変形しても、ロック機能が損なわれるのを可能な限り遅延させることによって、火災の進行を抑制し、被害の拡大を最小限度に止めることができる。
【０００７】
本発明は、このような点に着目し、火災時の温度上昇により、部品が軟化して変形しても、ロック機能が損なわれるのを可能な限り遅延させることができ、もって、火災の進行を抑制し、被害の拡大を最小限度に止めることができるようにした開閉窓におけるロック装置を提供することを目的としている。
【課題を解決するための手段】
【０００８】
本発明によると、上記課題は、次のようにして解決される。
(１)  室内外を連通する建物開口部に設けた窓枠と、前記窓枠内に開閉可能に取付けた障子と、前記障子をロックするロック装置とを備える開閉窓におけるロック装置であって、前記障子の窓框を構成する框材に、この框材の長手方向に沿って、ロック位置とアンロック位置とにスライド可能に取付けられたスライドプレートと、前記窓框に設けられ、前記スライドプレートをロック位置とアンロック位置とに移動させる操作手段と、前記スライドプレートに止着され、前記框材と対向する、窓枠を構成する枠材に向かって突出するロックピンと、前記枠材に設けられ、前記スライドプレートがアンロック位置に位置している状態での前記障子の開閉動作時に、前記ロックピンが出入するようにした進入溝、および前記進入溝の奥部より屈曲するように連続し、前記ロックピンが進入することにより、前記障子の開戸を阻止するようにした係合溝を有するロック受け部材と、  押さえ片が、前記ロックピンの上下部において、前記スライドプレートの外表面を跨ぐように設けられているとともに、前記スライドプレートの材料よりも耐熱性がよいものによって形成され、かつ前記框材に固着された、前記スライドプレートが前記框材から離間するのを防止するためのプレート離間防止部材とを備えるものとする。
【０００９】
このような構成とすると、ロック装置がロックされた状態において、火災が発生し、火災時の温度上昇により、ロック装置のスライドプレートが加熱されて変形したとしても、スライドプレートが框材から早期に離間するのを防止し、ロック機能が損なわれるのを可能な限り遅延させることができる。それによって、火災の進行を抑制し、被害の拡大を最小限度に止めることができる。
【００１０】
(２) 上記(１)項において、プレート離間防止部材に、ロックピンが框材の長手方向に沿って移動自在に挿通するようにした長孔を設ける。
【００１１】
このような構成とすると、ロックピンの上下部において、スライドプレートをプレート離間防止部材により押さえて、ロック受け部材からのロックピンの離脱、およびスライドプレートからのロックピンの脱落を効果的に防止することができる。
【００１２】
(３)  上記(１)または(２)項において、スライドプレートに、複数のロックピンを、スライドプレートの長手方向に互いに離間させて設け、かつ複数のプレート離間防止部材を、ロックピンに対応させて、それぞれ設ける。
【００１３】
このような構成とすると、スライドプレートにおけるロックピンが設けられた部位およびその近傍の部分が、窓框から離間するのを確実に防止することができる。
【００１４】
(４)  上記(１)〜(３)項の何れかにおいて、窓枠および窓框を樹脂により形成し、スライドプレートをアルミニウム合金により形成する。
【００１５】
このような構成とすると、窓枠、窓框、およびスライドプレートを軽量化することができ、かつ操作手段の操作を容易とすることができる。
【発明の効果】
【００１６】
本発明によると、火災時の温度上昇により、部品が軟化して変形しても、ロック機能が損なわれるのを可能な限り遅延させることができ、もって、火災の進行を抑制し、被害の拡大を最小限度に止めることができるようにした開閉窓におけるロック装置を提供することができる。
【図面の簡単な説明】
【００１７】
【図１】本発明の一実施形態を備える開閉窓を室内側より見た正面図である。
【図２】図１のII−II線拡大横断平面図である。
【図３】図２におけるロック装置の要部の拡大図である。
【図４】ロック装置における窓枠側の部分と窓框側の部分とを、９０°角度を変えて示す拡大分解斜視図である。
【図５】図２のIV−IV線拡大縦断側面図である。
【図６】図２のＶ−Ｖ線拡大縦断側面図である。
【発明を実施するための形態】
【００１８】
以下、本発明の一実施形態を、図面に基づいて説明する。
図１および図２に示すように、この開閉窓は、建物の躯体１の開口部に取付けられた方形枠状の窓枠２と、この窓枠２に取付けられた室外側(図２の紙面上方)に開く障子３とを備えている。なお、以下において、開閉窓の前後は、室内側を前、室外側を後として説明する。
【００１９】
窓枠２は、塩化ビニール樹脂等の合成樹脂により成形された枠材である上枠４、下枠５、および左右の縦枠６、６よりなり、それらに形成された長手方向の内部空間７(図２参照)内には、金属製の補強部材８が挿入されている。
【００２０】
障子３は、塩化ビニール樹脂等の合成樹脂により成形された框材である上框９、下框１０および左右の縦框１１、１１よりなる方形枠状の窓框１２と、この窓框１２内に、内外のシール材１３、１４(図２参照)を介して水密的に嵌め込まれた内外二重の窓ガラス１５、１６とを備えている。上框９、下框１０、および左右の縦框１１に形成された長手方向の内部空間１７には、金属製の補強部材１８が挿入されている。
【００２１】
図２に示すように、縦枠６の室内側寄りの内面には、内向突部６ａが突設されており、ここに、窓框１２における室内側の外周部が、シール部材１９を介して当接するようになっている。
また、窓框１２の室外側寄りの外面には、外向突部１２ａが突設されており、ここに、窓枠２における室外側の内周部が、シール部材１９を介して当接するようになっている。
【００２２】
障子３は、左側の縦框１１における室外側寄りの側面を、窓枠２における左側の縦枠６の室外側の外面に、上下１対のヒンジ２０、２０(図１参照)をもって取付けることにより、右端部すなわち戸先側が、室外側に開きうるようになっている。
【００２３】
戸先側の縦框１１とこれに対向する縦枠６との間には、障子３をロックするロック装置２１(図１参照)が設けられている。
このロック装置２１は、図３および図４に示すように、アルミニウムまたはその合金製の上下方向を向くスライドプレート２２と、スライドプレート２２を上位のロック位置と下位のアンロック位置とに移動させる操作手段であるハンドル２３(図１および図２参照)と、スライドプレート２２の上下部に止着され、縦枠６に向かって突出する上下１対のロックピン２４と、各ロックピン２４が進入することにより、障子３が開くのを阻止するようにした係合溝２５ｂを有する上下１対のロック受け部材２５と、スライドプレート２２が縦框１１から離間するのを防止する上下１対のプレート離間防止部材２６とを備えている。
【００２４】
上記ロック装置２１の各構成要素について詳細に説明する。なお、上下のロックピン２４、ロック受け部材２５、およびプレート離間防止部材２６は、同一形状であるので、上方のものについてのみ図示し、下方のものは図示を省略する。
【００２５】
スライドプレート２２は、アルミニウムまたはその合金よりなる上下方向を向く細長い板材によって形成されている。このスライドプレート２２は、縦框１１の外側面のほぼ中央部に設けられ、かつ外側方に開口する上下方向の凹部２７内に、縦框１１の長手方向に沿って、上記のロック位置とアンロック位置とにスライド可能に嵌入されている。
【００２６】
凹部２７の開口部近傍の両内側面には、互いに対向する上下方向の内向き突条２８、２８が突設され、凹部２７は、開口部近傍の内外方向の幅が奥部より小とされている。スライドプレート２２には、その前後両面に互いに背向するようにして凹条２９、２９が設けられ、これらの凹条２９を、凹部２７の両内向き突条２８に摺動自在に嵌合して収容されている。
なお、スライドプレート２２の上下寸法を、縦框１１のそれよりも所要寸法短寸とすることにより、スライドプレート２２は上位のロック位置と、下位のアンロック位置とにスライド移動可能とされている。
図４にも示すように、スライドプレート２２の外表面２２ａと、縦框１１の外側面１１ａ同士は、同一面に整合するようにしてある。
【００２７】
ハンドル２３は、図２に示すように、戸先側の縦框１１の前面に装着され、スライドプレート２２と図示しない連係機構をもって連係されている。ハンドル２３を下向きのロック位置に回動操作したとき(図１の状態)、スライドプレート２２は上方のロック位置に、同じく横向き、または上向きのロック解除位置に回動操作したとき、下方のアンロック位置に移動するようになっている。なお、スライドプレート２２とハンドル２３との連係機構は、本発明とは直接関係せず、また公知の機構であるので、その具体的な構成については省略する。
【００２８】
ロックピン２４は、図１および図４に示すように、スライドプレート２２における外表面２２ａの上下両端部に設けられている。このロックピン２４は、拡径頭部３０を有する有頭ねじ３１と、それに回転自在に嵌合された円筒形のローラ３２(図５参照)とを有し、窓枠２の縦枠６に向かって突出している。ロックピン２４は、有頭ねじ３１をスライドプレート２２に螺合することにより、ローラ３２が回転しうるようにして取り付けられている。
【００２９】
ロック受け部材２５は、図４および図５に示すように、ロックピン２４と対向する縦枠６の内側面に取付けられ、ロックピン２４が係脱可能に形成されている。
すなわち、ロック受け部材２５は、上部水平片３３、下部水平片３４、前片３５、後片３６、および縦框１１と対向する側の側片３７よりなり、外側面(縦枠６側)が開放された概ね縦長のケース状をなしている。上部水平片３３と下部水平片３４との縦枠６側の端縁には、それぞれ上方と下方を向く取付片３８、３８が、また、前片３５における縦枠６側の端縁には、室内側に向かって突出する取付片３９が連設されている。
【００３０】
上下の取付片３８は、縦枠６の内側面に上下方向に向かって形成されたあり溝状の凹溝４０の奥面に上下のねじ４１により固定され、取付片３９は、縦枠６の内側面の中央部に上下のねじ４２により固定されている。なお、各取付片３８、３９に形成されたねじ４１、４２の挿通孔は、上下方向を向く縦長孔４３とされ、ロック受け部材２５の上下の取付位置を調整しうるようになっている。
【００３１】
ロック受け部材２５の下部には、後片３６の下半部と側片３７の下部を切り欠くことにより、ロックピン２４が進入可能となるように、室外側が開放された進入溝２５ａが形成されている。進入溝２５ａには、スライドプレート２２がアンロック位置に位置している状態での障子３の開閉動作時に、ロックピン２４が出入りするようになされている。
また、進入溝２５ａの上方において、側片３７には、側面視下向きＵ字状の係合溝２５ｂが、進入溝２５ａの奥部より上側に屈曲するように連続して形成されている。スライドプレート２２が上方へスライド移動して、ロックピン２４が係合溝２５ｂに進入することにより、障子３が開くのを阻止することができる。
【００３２】
係合溝２５ｂの溝幅は、ロックピン２４のローラ３２が上下方向に転動または摺動しうるように、その外径と同等もしくは僅かに大とされている。図５は、障子３を閉めた状態で、ハンドル２３をロック位置に回動操作したときの状態を示すもので、ハンドル２３の操作と連動して、スライドプレート２２およびそれに取付けたロックピン２４が上方のロック位置に移動することにより、ロックピン２４のローラ３２が、進入溝２５ａを介してロック受け部材２５の係合溝２５ｂ内を上方に向かって転動または摺動する。これにより、障子３の開き方向への移動が阻止されて、障子３が窓枠２にロックされる。
【００３３】
プレート離間防止部材２６は、図４および図６に示すように、障子３における戸先側の縦框１１の外側面１１ａに、スライドプレート２２の外表面２２ａを跨ぐようにして固着されている。このプレート離間防止部材２６、上記ロック受け部材２５、およびロックピン２４は、スライドプレート２２の材料であるアルミニウムまたはその合金より耐熱性がよいもの、例えばステンレス鋼によって形成されている。
【００３４】
プレート離間防止部材２６は、縦框１１の外側面１１ａにおける凹部２７の室内側の側壁部に、上下１対のねじ４４により固着された板状の取付片４５と、スライドプレート２２の外表面２２ａから僅かに離間し、かつスライドプレート２２の外表面２２ａを跨ぐようにして、取付け片４５の室外側の端縁に段状に連設された板状の押さえ片４６(図３参照)と、押さえ片４６の室外側の端縁から、縦枠６に向かってほぼ直角に折曲げられ、窓框１２の外向き突部１２ａの内側面１２ｂに当設して、ねじ４７により固着された折曲片４８とからなっている。
プレート離間防止部材２６の押さえ片４６と、スライドプレート２２の外表面２２ａとの間隔は、スライドプレート２２が支障なくスライド可能となる範囲でできるだけ小とするのが望ましい。
【００３５】
押さえ片４６には、ロックピン２４を上下方向(縦框１１の長手方向)に沿って移動自在に挿通するようにした、上下方向を向く長孔４９が設けられている。
このプレート離間防止部材２６は、上下のロックピン２４に対応させて設けられている。
【００３６】
上記のように、このロック装置２１においては、プレート離間防止部材２６の押さえ片４６が、各ロックピン２４の上下部において、スライドプレート２２の外表面２２ａを跨ぐようにして、縦框１１の外側面１１ａに固着されているので、火災発生時に、スライドプレート２２が加熱により変形し始めたとしても、スライドプレート２２が縦框１１から離間したり、ロックピン２４がスライドプレート２２またはロック受け部材２５から離脱するのを少しでも遅らせることができる。
それによって、火災の初期に障子が開くことにより、火災が窓から噴出するのを阻止し、火災の進行を遅らせることができる。
また、プレート離間防止部材２６の押さえ片４６は、スライドプレート２２から僅かに離間しているため、スライドプレート２２は、プレート離間防止部材２６によって邪魔されることなく、滑らかに上下方向にスライド移動させることができる。
【００３７】
本発明は、上述した室外側または室内側に開く開閉窓や、辷り出し窓等にも適用することができる。
また、窓枠２および窓框１２が、アルミニウムまたはその合金等により形成されている開閉窓にも適用することができる。
【符号の説明】
【００３８】
１  躯体
２  窓枠
３  障子
４  上枠(枠材)
５  下枠(枠材)
６  縦枠(枠材)
６ａ  内向突部
７  内部空間
８  補強部材
９  上框(框材)
１０  下框(框材)
１１  縦框(框材)
１１ａ  外側面
１２  窓框
１２ａ  外向突部
１２ｂ  内側面
１３  シール部材
１４  シール部材
１５  窓ガラス
１６  窓ガラス
１７  内部空間
１８  補強部材
１９  シール部材
２０  ヒンジ
２１  ロック装置
２２  スライドプレート
２２ａ  外表面
２３  ハンドル
２４  ロックピン
２５  ロック受け部材
２５ａ  進入溝
２５ｂ  係合溝
２６  プレート離間防止部材
２７  凹部
２８  内向き突条
２９  凹条
３０  拡径頭部
３１  有頭ねじ
３２  ローラ
３３  上部水平片
３４  下部水平片
３５  前片
３６  後片
３７  側片
３８  取付片
３９  取付片
４０  凹溝
４１  ねじ
４２  ねじ
４３  縦長孔
４４  ねじ
４５  取付片
４６  押さえ片
４７  ねじ
４８  折曲片
４９  長孔
【図１】
0006001306.tif 000002
【図２】
0006001306.tif 000003
【図３】
0006001306.tif 000004
【図４】
0006001306.tif 000005
【図５】
0006001306.tif 000006
【図６】
0006001306.tif 000007